(57)【要約】      （修正有）【課題】動態撮影の確認に必要な情報を安定的にコンソールに提供することができる動態撮影装置を提供する。【解決手段】ＦＰＤカセッテにおいて、コンソールから検査オーダー情報の少なくとも診断対象の動態の種類の情報を受信すると、制御部３１は、受信した診断対象の動態の種類に対応する特徴量の種類を記憶部３３から読み出して、次の動態撮影で取得されるフレーム画像から算出する特徴量の種類として特定する。動態撮影によりフレーム画像を取得すると、制御部３１は、１枚目のフレーム画像については少なくとも被写体の関心領域を含む画像を無線通信部３５によりコンソールに送信させ、２枚目以降のフレーム画像については特定された種類の特徴量を算出し、算出した特徴量を無線通信部３５によりコンソールに送信させる。【選択図】図２
2017113344.tif 000002
【特許請求の範囲】
【請求項１】
被写体の動態を撮影し、前記被写体の動態を示す複数のフレーム画像を生成する画像生成手段と、
表示手段を備えるコンソールと通信を行うための通信手段と、
前記フレーム画像のうち、１枚目のフレーム画像については少なくとも前記被写体の関心領域を含む画像を前記通信手段により前記コンソールに送信させ、２枚目以降のフレーム画像については前記被写体の動態に係る特徴量を算出し、算出した特徴量を前記通信手段により順次前記コンソールに送信させる制御手段と、
を備える動態撮影装置。
【請求項２】
前記２枚目以降のフレーム画像に基づいて算出する特徴量の種類を特定する特定手段を備える請求項１に記載の動態撮影装置。
【請求項３】
前記通信手段は、前記コンソールと無線通信を行うものであり、
前記２枚目以降のフレーム画像を記憶する記憶手段と、
前記コンソールと有線により接続を行うための接続手段と、を備え、
前記制御手段は、前記接続手段を介して前記コンソールに有線接続された場合に、前記記憶手段に記憶されている２枚目以降のフレーム画像を前記コンソールに送信する請求項１又は２に記載の動態撮影装置。
【請求項４】
請求項１〜３の何れか一項に記載の動態撮影装置と、
表示手段を備えるコンソールと、を備える動態撮影システム。
【請求項５】
前記コンソールは、
診断対象の動態の種類をユーザが選択するための選択手段と、
前記選択手段により選択された前記診断対象の動態の種類の情報を前記動態撮影装置に送信する送信手段と、を備え、
前記特定手段は、
前記コンソールから送信された前記診断対象の動態の種類の情報に基づいて、前記２枚目以降のフレーム画像に基づいて算出する特徴量の種類を特定する請求項４に記載の動態撮影システム。
【請求項６】
前記表示手段は、
前記動態撮影装置から送信された前記１枚目のフレーム画像に前記２枚目以降のフレーム画像に基づいて算出された特徴量を順次重ね合わせて表示する請求項４又は５に記載の動態撮影システム。
【発明の詳細な説明】
【技術分野】
【０００１】
本発明は、動態撮影装置及び動態撮影システムに関する。
【背景技術】
【０００２】
従来のフィルム／スクリーンや輝尽性蛍光体プレートを用いた放射線の静止画撮影及び診断に対し、ＦＰＤ（flat panel detector）等の半導体イメージセンサーを利用して人体の検査対象部位の動態画像を撮影し、診断に応用する試みがなされるようになってきている。
【０００３】
人体の動態画像を撮影した場合、撮影技師は、従来の静止画撮影と同様に、撮影により得られた画像が診断に値するかを短時間で判断し、診断に値しない画像であれば再撮影を行わなければならない。
【０００４】
そこで、例えば、特許文献１には、被写体の動態を撮影することにより生成された複数のフレーム画像を放射線検出器から撮影用コンソールに送信し、撮影用コンソールにおいて被写体の動態に係る特徴量を算出して撮影確認のために表示することが記載されている。
【先行技術文献】
【特許文献】
【０００５】
【特許文献１】特開２０１５−１３４１６８号公報
【発明の概要】
【発明が解決しようとする課題】
【０００６】
しかしながら、特許文献１においては、画像転送のための通信路が、例えば、無線等の不安定な通信路である場合については考慮されていない。そのため、電波環境の悪化等、通信状況が悪い状態で画像を転送した場合に、コマ落ちや通信遅延が発生し、動態撮影の確認に必要な情報を安定的にコンソールに提供することができない可能性があった。
【０００７】
本発明の課題は、動態撮影の確認に必要な情報を安定的にコンソールに提供することができるようにすることである。
【課題を解決するための手段】
【０００８】
上記課題を解決するため、請求項１に記載の発明の動態撮影装置は、
被写体の動態を撮影し、前記被写体の動態を示す複数のフレーム画像を生成する画像生成手段と、
表示手段を備えるコンソールと通信を行うための通信手段と、
前記フレーム画像のうち、１枚目のフレーム画像については少なくとも前記被写体の関心領域を含む画像を前記通信手段により前記コンソールに送信させ、２枚目以降のフレーム画像については前記被写体の動態に係る特徴量を算出し、算出した特徴量を前記通信手段により順次前記コンソールに送信させる制御手段と、
を備える。
【０００９】
請求項２に記載の発明は、請求項１に記載の発明において、
前記２枚目以降のフレーム画像に基づいて算出する特徴量の種類を特定する特定手段を備える。
【００１０】
請求項３に記載の発明は、請求項１又は２に記載の発明において、
前記通信手段は、前記コンソールと無線通信を行うものであり、
前記２枚目以降のフレーム画像を記憶する記憶手段と、
前記コンソールと有線により接続を行うための接続手段と、を備え、
前記制御手段は、前記接続手段を介して前記コンソールに有線接続された場合に、前記記憶手段に記憶されている２枚目以降のフレーム画像を前記コンソールに送信する。
【００１１】
請求項４に記載の発明の動態撮影システムは、
請求項１〜３の何れか一項に記載の動態撮影装置と、
表示手段を備えるコンソールと、を備える。
【００１２】
請求項５に記載の発明は、請求項４に記載の発明において、
前記コンソールは、
診断対象の動態の種類をユーザが選択するための選択手段と、
前記選択手段により選択された前記診断対象の動態の種類の情報を前記動態撮影装置に送信する送信手段と、を備え、
前記特定手段は、
前記コンソールから送信された前記診断対象の動態の種類の情報に基づいて、前記２枚目以降のフレーム画像に基づいて算出する特徴量の種類を特定する。
【００１３】
請求項６に記載の発明は、請求項４又は５に記載の発明において、
前記表示手段は、  
前記動態撮影装置から送信された前記１枚目のフレーム画像に前記２枚目以降のフレーム画像に基づいて算出された特徴量を順次重ね合わせて表示する。
【発明の効果】
【００１４】
本発明によれば、動態撮影の確認に必要な情報を安定的にコンソールに提供することが可能となる。
【図面の簡単な説明】
【００１５】
【図１】本実施形態における動態撮影システムの全体構成例を示す図である。
【図２】図１のＦＰＤカセッテの機能的構成を示すブロック図である。
【図３】図２の記憶部に記憶されているテーブルの一例を示す図である。
【図４】図１のコンソールの機能的構成を示すブロック図である。
【図５】図２の制御部において実行される処理を示すフローチャートである。
【図６】１枚目のフレーム画像に２枚目以降のフレーム画像の特徴量を重ね合わせた画像の一例を示す図である。
【発明を実施するための形態】
【００１６】
（動態撮影システムの構成）
まず、本実施形態の構成について説明する。
図１に、本実施形態における動態撮影システム１００の全体構成例を示す。
動態撮影システム１００は、例えば、移動が困難な患者の放射線撮影のための回診用のシステムであり、放射線制御装置１と、放射線源２と、ＦＰＤ（Flat Panel Detector）カセッテ３と、コンソール４と、アクセスポイントＡＰと、を備えて構成されている。放射線制御装置１は、車輪を有し、コンソール４やアクセスポイントＡＰを設置した移動可能な回診車として構成されている。動態撮影システム１００において、放射線制御装置１、ＦＰＤカセッテ３、コンソール４は、アクセスポイントＡＰを介して相互に無線通信可能である。
【００１７】
動態撮影システム１００は、図１に示すように、手術室、集中治療室や病室Ｒｃ等に持ち込まれ、ＦＰＤカセッテ３を、例えばベッドＢに寝ている被写体ＨとベッドＢとの間もしくは、図示しないベッドＢの被写体Ｈとは反対面に設けられた挿入口に差し込む等した状態で、放射線源２から放射線を照射して、被写体Ｈの動態撮影を行うシステムである。動態撮影とは、被写体Ｈに対し、Ｘ線等の放射線をパルス状にして所定時間間隔で繰り返し照射するか(パルス照射)、もしくは、低線量率にして途切れなく継続して照射する(連続照射)ことで、複数の画像を取得することをいう。動態撮影により得られた一連の画像を動態画像と呼ぶ。また、動態画像を構成する複数の画像のそれぞれをフレーム画像と呼ぶ。なお、以下の実施形態では、パルス照射により動態撮影を行う場合を例にとり説明する。
【００１８】
以下、動態撮影システム１００を構成する各装置について説明する。
放射線制御装置１は、曝射スイッチ１０２ａと、図示しない制御部、記憶部、操作部、放射線源２の駆動回路、無線通信部等を備える。放射線制御装置１の記憶部には、診断対象の動態の種類（例えば、胸部であれば肺換気や肺血流等）に応じた放射線照射条件が記憶されている。放射線照射条件は、例えば、Ｘ線管電流の値、Ｘ線管電圧の値、フィルタ種、ＳＩＤ（Source to Image−receptor Distance）、パルスレート、パルス幅、パルス間隔等である。放射線制御装置１は、コンソール４により設定された診断対象の動態の種類に応じた放射線照射条件に基づいて、放射線源２による放射線照射を制御する。
【００１９】
放射線源２は、放射線制御装置１に接続されており、放射線制御装置１により駆動され、被写体Ｈに対し放射線（Ｘ線）を照射する。
【００２０】
ＦＰＤカセッテ３は、動態撮影対応の可搬型の撮影装置（動態撮影装置）であり、放射線源２の放射照射に応じて被写体Ｈを動態撮影することにより被写体Ｈの動態を示す複数のフレーム画像を生成する。
図２に、ＦＰＤカセッテ３の機能構成例を示す。図２に示すように、ＦＰＤカセッテ３は、制御部３１、検出部３２、記憶部３３、バッテリー３４、無線通信部３５、コネクター３６等を備えて構成され、各部はバス３７により接続されている。
【００２１】
制御部３１は、ＣＰＵ、ＲＡＭ等により構成される。制御部３１のＣＰＵは、記憶部３３に記憶されているシステムプログラムや処理プログラム等の各種プログラムを読み出してＲＡＭに展開し、展開されたプログラムに従って各種処理を実行する。
例えば、制御部３１は、コンソール４から送信された診断対象の動態の種類に応じた画像読取条件に基づいて検出部３２のスイッチング部を制御して、検出部３２の各放射線検出素子（以下、検出素子）に放射線量に応じた電荷を蓄積させたり、蓄積された電荷を読み出して、動画像を構成するフレーム画像を生成したりする。そして、制御部３１は、生成したフレーム画像を、無線通信部３５によりコンソール４に転送する。
【００２２】
検出部３２は、例えば、ガラス基板等を有しており、基板上の所定位置に、放射線源２から照射されて少なくとも被写体Ｈを透過した放射線をその強度に応じて検出し、検出した放射線量に応じた電荷を蓄積する複数の検出素子が二次元状に配列されている、いわゆる直接型の検出素子である。なお、検出素子は、シンチレータとフォトダイオード等の半導体イメージセンサーにより構成される、いわゆる間接型の検出素子を用いても良い。各検出素子は、例えばＴＦＴ（Thin Film Transistor）等のスイッチング部に接続され、スイッチング部により電荷の蓄積及び読み出しが制御される。
【００２３】
記憶部３３は、例えば半導体の不揮発性メモリー等で構成されている。記憶部３３には、各種のプログラム及びデータが記憶されている。
また、記憶部３３には、診断対象の動態の種類に対応付けて画像読取条件が記憶されている。画像読取条件は、例えば、画素サイズ、画像サイズ（マトリックスサイズ）、フレームレート、フレーム間隔等である。フレームレートは、パルスレートと一致している。
また、記憶部３３には、図３に示すように、診断対象の動態の種類に対応付けて、その診断対象の動態の種類が選択されたときに撮影確認用にフレーム画像から算出すべき特徴量の種類が記憶されている。
また、記憶部３３には、検出部３２から出力された未送信のフレーム画像を一時的に記憶するための未送信画像領域が設けられている。
【００２４】
バッテリー３４は、制御部４１の制御に基づいて、ＦＰＤカセッテ３の各部に電力を供給する。バッテリー３４としては、例えばニッカド電池、ニッケル水素電池、リチウムイオン電池等の充電自在な電池等を適用することができる。
【００２５】
無線通信部３５は、図示しない無線アンテナを備えて構成され、アクセスポイントＡＰを介して放射線制御装置１やコンソール４等の外部機器とデータの送受信を行う。
【００２６】
コネクター３６は、コンソール４等の外部機器とケーブル等を介して有線接続するための接続手段である。
【００２７】
コンソール４は、撮影技師（ユーザ）が撮影対象の検査オーダー情報を選択したり、ＦＰＤカセッテ３から転送された情報を撮影確認用に表示したり、ＦＰＤカセッテ３から転送された画像を検査オーダー情報に対応付けて保存したりする装置である。
【００２８】
図４に、コンソール４の要部構成例を示す。図４に示すように、コンソール４は、制御部４１、記憶部４２、操作部４３、表示部４４、無線通信部４５、コネクター４６等を備えて構成されており、各部はバス４７により接続されている。
【００２９】
制御部４１は、ＣＰＵ、ＲＡＭ等により構成される。制御部４１のＣＰＵは、記憶部４２に記憶されているシステムプログラムや処理プログラム等の各種プログラムを読み出してＲＡＭに展開し、展開されたプログラムに従って各種処理を実行する。
【００３０】
記憶部４２は、例えばＨＤＤ（Hard Disk Drive）や半導体の不揮発性メモリー等で構成されている。記憶部４２には、各種のプログラム及びデータが記憶されている。
【００３１】
また、記憶部４２には、図示しないＲＩＳ（Radiology Information System）から送信された検査オーダー情報が記憶されている。検査オーダー情報には、例えば、検査識別情報（検査ＩＤ等）、検査日付、被写体Ｈの氏名等の患者情報、検査で行われる各撮影に関する情報（撮影ＩＤ、撮影部位、撮影方向、診断対象の動態の種類等）が含まれる。
【００３２】
操作部４３は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号として制御部４１に出力する。  なお、表示部４４の画面上に、透明電極を格子状に配置した感圧式（抵抗膜圧式）のタッチパネル（図示せず）を形成し、表示部４４と操作部４３とが一体に構成されるタッチスクリーンとしてもよい。
【００３３】
表示部４４は、例えば、ＣＲＴ（Cathode Ray Tube）やＬＣＤ（Liquid Crystal Display）等のモニターを備えて構成されており、制御部４１から入力される表示信号の指示に従って、各種画面を表示する。
【００３４】
無線通信部４５は、放射線制御装置１、ＦＰＤカセッテ３、図示しないＲＩＳ等の外部機器と無線方式によりデータ送受信を行う。
【００３５】
コネクター４６は、ＦＰＤカセッテ３等の外部機器とケーブル等を介して有線接続するための接続手段である。
【００３６】
（動態撮影システム１００の動作）
次に、動態撮影システム１００における撮影動作について説明する。
まず、撮影技師は、コンソール４において操作部４３の操作により表示部４４に検査オーダー情報の選択画面を表示させ、実施する撮影の検査オーダー情報を選択する。検査オーダー情報の選択後、撮影技師は、被写体Ｈ、放射線源２、ＦＰＤカセッテ３のポジショニング等の撮影準備を行う。
【００３７】
コンソール４において、操作部４３の操作により検査オーダー情報が選択されると、制御部４１は、選択された検査オーダー情報の少なくとも診断対象の動態の種類の情報を無線通信部４５を介して放射線制御装置１及びＦＰＤカセッテ３に送信する。
【００３８】
放射線制御装置１の制御部は、コンソール４から検査オーダー情報の少なくとも診断対象の動態の種類の情報を受信すると、受信した診断対象の動態の種類に対応する放射線照射条件を記憶部から読み出して次の動態撮影の放射線照射条件として設定する。
ＦＰＤカセッテ３の制御部３１は、コンソール４から検査オーダー情報の少なくとも診断対象の動態の種類の情報を受信すると、受信した診断対象の動態の種類に対応する画像読取条件を記憶部３３から読み出して、次の動態撮影の画像読取条件として設定する。また、ＦＰＤカセッテ３の制御部３１は、受信した診断対象の動態の種類に対応する特徴量の種類を記憶部３３から読み出して、次の動態撮影で取得されるフレーム画像から算出する特徴量の種類として特定する。
【００３９】
撮影準備が終了すると、撮影技師は、曝射スイッチ１０２ａを押下する。
曝射スイッチ１０２ａが押下されると、放射線制御装置１は、コンソール４及びＦＰＤカセッテ３に撮影開始指示を送信し、動態撮影を開始する。即ち、放射線制御装置１は、ＦＰＤカセッテ３と同期して、設定された放射線照射条件に基づいて放射線源２を駆動して所定時間間隔で放射線を照射させる。ＦＰＤカセッテ３の制御部３１は、設定された画像読取条件に基づき、放射線照射が行われる毎に、検出部３２の検出素子への電荷の蓄積及び読み取りを行って動態画像のフレーム画像を生成する。
【００４０】
以下、ＦＰＤカセッテ３側の動作について、詳細に説明する。
図５は、ＦＰＤカセッテ３において、制御部３１により実行される処理のフローチャートである。図５に示す処理は、ＦＰＤカセッテ３の電源がＯＮである間に、制御部３１と記憶部３３に記憶されているプログラムとの協働により実行される。
【００４１】
まず、制御部３１は、無線通信部３５によりコンソール４から検査オーダー情報の少なくとも診断対象の動態の種類の情報を受信したか否かを判断する（ステップＳ１）。
【００４２】
検査オーダー情報の少なくとも診断対象の動態の種類の情報を受信していないと判断した場合（ステップＳ１；ＮＯ）、制御部３１は、ステップＳ１６に移行する。
【００４３】
検査オーダー情報の少なくとも診断対象の動態の種類の情報を受信したと判断した場合（ステップＳ１；ＹＥＳ）、制御部３１は、受信した診断対象の動態の種類の情報に対応する画像読取条件を記憶部３３から読み出して、次の動態撮影の画像読取条件として設定する（ステップＳ２）。また、制御部３１は、受信した診断対象の動態の種類に対応する特徴量の種類を記憶部３３から読み出して、次の動態撮影で生成されるフレーム画像から算出する特徴量の種類として特定する（ステップＳ３）。
【００４４】
次いで、制御部３１は、放射線制御装置１から撮影開始指示が受信されるのを待機する（ステップＳ４）。
放射線制御装置１から撮影開始指示が受信されると（ステップＳ４；ＹＥＳ）、制御部３１は、ステップＳ２で設定された画像読取条件に基づいて、検出部３２を制御する。
即ち、制御部３１は、検出部３２に放射線源２から照射され被写体を透過した放射線に応じた電荷を蓄積させ（ステップＳ５）、所定のタイミングで検出部３２の検出素子内に蓄積された電荷を読み出して画像データ（フレーム画像）を生成する（ステップＳ６）。なお、ステップＳ２においては、読み出した画像データにオフセット補正処理やゲイン補正処理等を施してフレーム画像を生成することとしてもよい。ステップＳ５〜Ｓ６により１枚目のフレーム画像が生成される。
【００４５】
次いで、制御部３１は、生成した１枚目のフレーム画像を無線通信部３５によりコンソール４に転送する（ステップＳ７）。ここでは、フレーム画像全体を転送してもよいが、少なくとも関心領域を含む領域を送信する。関心領域は、例えば、診断対象の動態を含む領域であり、ここでは、診断対象の動態の種類に応じて予め定められている。例えば、診断対象の種類が肺換気や肺血流であれば肺野領域、嚥下であれば口腔〜食道の領域である。
【００４６】
次いで、制御部３１は、動態撮影が終了したか否かを判断する（ステップＳ８）。例えば、曝射スイッチ１０２ａが開放され、放射線制御装置１から撮影終了指示が通知されるか、予め定められた枚数の撮影が終了した場合に動態撮影が終了したと判断する。
【００４７】
動態撮影が終了していないと判断した場合（ステップＳ８；ＮＯ）、制御部３１は、検出部３２を電荷蓄積状態に遷移させ、検出部３２に放射線源２から照射され被写体を透過した放射線に応じた電荷を蓄積させ（ステップＳ９）、所定のタイミングで検出部３２の検出素子内に蓄積された電荷を読み出してフレーム画像を生成する（ステップＳ１０）。なお、ステップＳ１０においては、ステップＳ６と同様に、読み出した画像データにオフセット補正処理やゲイン補正処理等を施してフレーム画像を生成することとしてもよい。
【００４８】
次いで、制御部３１は、ステップＳ１０で生成したフレーム画像を記憶部３３の未送信領域に保存する（ステップＳ１１）。
次いで、制御部３１は、ステップＳ１０で生成したフレーム画像からステップＳ３で設定された種類の特徴量を算出し（ステップＳ１２）、算出した特徴量を無線通信部３５によりコンソール４に送信し（ステップＳ１３）、ステップＳ８に戻る。
【００４９】
ここで、診断対象の動態の種類が肺換気である場合、ステップＳ１２においては、例えば、肺野領域の輪郭情報を特徴量として算出し、無線通信部３５によりコンソール４に送信する。肺野領域の輪郭情報は、例えば、ステップＳ１０で生成したフレーム画像から肺野領域を抽出し、背景を除去して２値化し、平滑化処理を施した後、エッジ抽出を行うことにより抽出することができる。
また、診断対象の動態の種類が肺血流である場合、ステップＳ１２においては、例えば、血流用フレーム間差分情報を特徴量として算出し、差分のあった部分の情報のみを無線通信部３５によりコンソール４に送信する。血流用フレーム間差分情報は、例えば、ステップＳ１０で生成したフレーム画像と１つ前のフレーム画像のそれぞれについて、時間軸方向のローパスフィルタ処理を施し、同じ画素位置の画素を対応付けて差分をとることにより算出することができる。
また、診断対象の動態の種類が嚥下である場合、ステップＳ１２においては、例えば、嚥下用フレーム間差分情報を特徴量として算出し、無線通信部３５によりコンソール４に送信する。嚥下を診断対象とした場合の撮影は、造影剤又は造影剤を含む食物を嚥下させて造影剤の動きや嚥下関連器官の状態と運動を撮影したものであり、１つ前のフレーム画像との対応する画素の差分を算出し、差分のあった部分の情報のみを造影剤の部分としてコンソール４に送信する。
【００５０】
このように、２枚目以降のフレーム画像については、撮影により得られた画像が診断に値するか否かを短時間で判断するために必要な情報である、フレーム画像から算出した診断対象の動態の種類に対応する特徴量に絞り込んで送信する。従って、動態撮影の確認  用にコンソール４に送信するデータ量が削減され、無線通信路等の不安定な通信状況であっても、撮影確認に必要な情報を安定的にコンソール４に提供することができる。
【００５１】
コンソール４において、無線通信部４５により１枚目のフレーム画像を受信すると、制御部４１は、受信した１枚目のフレーム画像を表示部４４に表示させる。２枚目以降の特徴量を受信すると、制御部４１は、受信した特徴量を順次１枚目のフレーム画像に重ねて表示させる。例えば、特徴量が輪郭情報であれば、フレーム画像上の輪郭情報が示す輪郭の位置に色等を付して表示する。また、特徴量がフレーム間差分情報である場合には、フレーム画像上の差分情報に相当する位置を差分情報に応じた輝度又は色で表示する。
【００５２】
図６に、１枚目のフレーム画像に特徴量を重ね合わせた画像の一例を示す。図６においては、特徴量が肺野の輪郭情報である場合を示している。
このように、コンソール４の表示部４４には、１枚目のフレーム画像に重ねて、２枚目以降の診断対象の動態の変化部分が表示されるので、撮影技師は、動態撮影により得られた画像が診断に値するか否かを短時間で判断することができる。
【００５３】
撮影技師は、表示部４４に表示された１枚目のフレーム画像及び特徴量を参照し、動態撮影により得られた画像が診断に値しないと判断した場合、コンソール４において、操作部４３により再撮影の指示を入力する。動態撮影により得られた画像が診断に値すると判断した場合、操作部４３により撮影ＯＫである旨を入力する。コンソール４の制御部４１は、再撮影の指示が入力されると、ＦＰＤカセッテ３に再撮影を通知する。
【００５４】
図５のステップＳ８において、動態撮影が終了したと判断した場合（ステップＳ８；ＹＥＳ）、制御部３１は、コンソール４から再撮影が通知されたか否かを判断する（ステップＳ１４）。コンソール４から再撮影が通知されたと判断した場合（ステップＳ１４；ＹＥＳ）、制御部３１は、記憶部３３に記憶されている未送信領域に記憶されているフレーム画像を削除し（ステップＳ１５）、ステップＳ４に戻る。そして、再度ステップＳ４〜ステップＳ１３の処理を実行する。なお、再撮影が通知された場合、放射線撮影装置１やＦＰＤカセッテ３においては、撮影技師が操作部により、又はコンソール４を介して、放射線照射条件や画像読取条件を調整可能である。
コンソール４から再撮影が通知されていないと判断した場合（ステップＳ１４；ＮＯ）、制御部３１は、ステップＳ１６に移行する。
【００５５】
ステップＳ１６において、制御部３１は、コネクター３６を介してコンソール４に有線接続されたか否かを判断する（ステップＳ１６）。
コネクター３６を介してコンソール４に有線接続されていないと判断した場合（ステップＳ１６；ＮＯ）、制御部３１は、ステップＳ１に戻る。
コネクター３６を介してコンソール４に有線接続されたと判断した場合（ステップＳ１６；ＹＥＳ）、制御部３１は、記憶部３３の未送信領域にフレーム画像が記憶されているか否かを判断する（ステップＳ１７）。記憶部３３の未送信領域にフレーム画像が記憶されていないと判断した場合（ステップＳ１７；ＮＯ）、制御部３１は、ステップＳ１に戻る。
記憶部３３の未送信領域にフレーム画像が記憶されていると判断した場合（ステップＳ１７；ＹＥＳ）、制御部３１は、記憶部３３の未送信領域に記憶されているフレーム画像をコネクター３６を介して有線通信によりコンソール４に送信し（ステップＳ１８）、ステップＳ１に戻る。なお、コンソール４に転送されたフレーム画像は記憶部３３から削除される。
このように、２枚目以降の未送信のフレーム画像については、動態撮影終了後、コンソール４に有線接続された場合に送信するので、安定した通信路で送信することができる。
コンソール４においては、ＦＰＤカセッテ３から受信したフレーム画像を検査オーダー情報に対応付けて記憶部４２に記憶する。
【００５６】
ＦＰＤカセッテ３の電源がＯＮの間、制御部３１は、ステップＳ１〜１８の処理を繰り返し実行する。
【００５７】
以上説明したように、動態撮影システム１００によれば、コンソール４において操作部４３により検査オーダー情報が選択されると、制御部４１は、検査オーダー情報の少なくとも診断対象の動態の種類の情報を無線通信部４５によりＦＰＤカセッテ３に送信する。ＦＰＤカセッテ３において、コンソール４から検査オーダー情報の少なくとも診断対象の動態の種類の情報を受信すると、制御部３１は、受信した診断対象の動態の種類に対応する特徴量の種類を記憶部３３から読み出して、次の動態撮影で取得されるフレーム画像から算出する特徴量の種類として特定する。動態撮影によりフレーム画像を取得すると、制御部３１は、１枚目のフレーム画像については少なくとも被写体の関心領域を含む画像を無線通信部３５によりコンソール４に送信させ、２枚目以降のフレーム画像については特定された種類の特徴量を算出し、算出した特徴量を無線通信部３５によりコンソール４に送信させる。従って、２枚目以降のフレーム画像については、フレーム画像より大幅にデータ量を削減し動態撮影の確認に必要な特徴量のみを送信するので、動態撮影の確認に必要な情報をコンソール４に安定的に提供することが可能となる。
【００５８】
また、制御部３１は、２枚目以降のフレーム画像を記憶部３３に記憶しておき、コネクター３６を介してコンソール４に有線接続された場合に、記憶部３３に記憶されている２枚目以降のフレーム画像をコンソール４に送信する。
従って、診断に必要なフレーム画像については、動態撮影の確認後、安定した通信路でコンソール４に送信することが可能となる。
【００５９】
また、コンソール４においては、ＦＰＤカセッテ３から送信された１枚目のフレーム画像に２枚目以降のフレーム画像に基づいて算出された特徴量を順次重ね合わせて表示部４４に表示するので、撮影技師は、診断対象の動態の変化部分を容易に確認することができ、動態により得られた動態画像が診断に値するか否かを短時間で判断することが可能となる。
【００６０】
なお、上記実施形態における記述内容は、本発明の好適な一例であり、これに限定されるものではない。
【００６１】
例えば、上記実施形態においては、本発明を回診用のシステムに適用した場合を例にとり説明したが、本発明は、撮影室で撮影を行う動態撮影システムにおいても適用可能である。
【００６２】
また、上記実施形態においては、本発明を放射線を用いて人体を撮影する放射線撮影装置、具体的には、ＦＰＤカセッテ３に適用した場合を例にとり説明したが、人体の動画像を撮影するものであれば特に限定されない。
【００６３】
また、上記実施形態においては、放射線源２が所定時間間隔でパルス照射した放射線をＦＰＤカセッテ３で読み取って動画像を生成する場合を例にとり説明したが、放射線源２から低線量で継続して途切れなく照射した放射線をＦＰＤカセッテ３により所定時間間隔で読み取って動画像を生成することとしてもよい。
【００６４】
また、上記実施形態においては、ＦＰＤカセッテ３において、図３に示すようなテーブルを有し、検査オーダー情報に含まれる診断対象の動態の種類に基づいてフレーム画像から算出する特徴量の種類を特定する場合を例にとり説明したが、これに限定されない。例えば、コンソール４側に、図３に示すようなテーブルを有する構成とし、コンソール４において選択された検査オーダー情報に含まれる診断対象の動態の種類に対応する特徴量の種類を読み出してＦＰＤカセッテ３に送信し、ＦＰＤカセッテ３において、コンソール４から送信された特徴量の種類をフレーム画像から算出する特徴量の種類として特定することとしてもよい。
【００６５】
また、上記実施形態においては、コンソール４から送信された検査オーダー情報に基づいて、放射線制御装置１やＦＰＤカセッテ３において放射線照射条件や画像読取条件を設定することとしたが、コンソール４において、検査オーダー情報に基づいて放射線照射条件や画像読取条件を決定し、放射線制御装置１やＦＰＤカセッテ３に送信することとしてもよい。
【００６６】
また、上記実施形態においては、ＦＰＤカセッテ３がコネクター３６及び図示しないケーブルを介してコンソール４に接続された場合に、コンソール４に有線接続されたと判断したが、これに限定されず、例えば、ＦＰＤカセッテ３がクレードル等を介してコンソール４に接続された場合に、コンソール４に有線接続されたと判断することとしてもよい。
【００６７】
また、上記実施形態においては、１つのアクセスポイントＡＰが回診用の放射線制御装置１に移動可能なように設置された構成としたが、アクセスポイントＡＰは複数存在する構成としてもよく、このとき、そのうちの一部または全てのアクセスポイントは、病院内に固定的に設置された構成としてもよい。また、各装置間の通信は、アクセスポイントＡＰを用いずに、例えば、アドホックモード等により直接行う態様としてもよい。
【００６８】
また、上記実施形態においては、ＦＰＤカセッテ３において蓄積・フレーム画像生成・転送が順次的に実行される場合を例にとり説明したが、この例に限定されない。例えば、或るフレーム画像の蓄積及びフレーム画像の生成と並行して、その一つ前のフレーム画像の転送を行うこととしてもよい。また、或るフレーム画像の蓄積と、その一つ前のフレーム画像の生成と、その二つ前のフレーム画像の転送とを並行して行うこととしてもよい。
【００６９】
また、上記実施形態においては、ＦＰＤカセッテ３において、２枚目以降のフレーム画像に基づいて算出する特徴量を特定する特定手段を備える場合を例にとり説明したが、例えば、動態撮影システム１００が一つの動態（例えば、肺換気）の撮影にしか対応していないシステムであり、ＦＰＤカセッテ３で算出可能な特徴量が予め決まっている場合には、特徴量を特定する手段は不要である。
【００７０】
また、上記の説明では、本発明に係るプログラムのコンピューター読み取り可能な媒体としてハードディスクや半導体の不揮発性メモリー等を使用した例を開示したが、この例に限定されない。その他のコンピューター読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００７１】
その他、動態撮影システムを構成する各装置の細部構成及び細部動作に関しても、本発明の趣旨を逸脱することのない範囲で適宜変更可能である。
【符号の説明】
【００７２】
１００  動態撮影システム
１  放射線制御装置
１０２ａ  曝射スイッチ
２  放射線源
３  ＦＰＤカセッテ
３１  制御部
３２  検出部
３３  記憶部
３４  バッテリー
３５  無線通信部
３６  コネクター
３７  バス
４  コンソール
４１  制御部
４２  記憶部
４３  操作部
４４  表示部
４５  無線通信部
４６  コネクター
４７  バス
ＡＰ  アクセスポイント
【図１】
2017113344.tif 000003
【図２】
2017113344.tif 000004
【図３】
2017113344.tif 000005
【図４】
2017113344.tif 000006
【図５】
2017113344.tif 000007
【図６】
2017113344.tif 000008